(57)【要約】【課題】被測定電路の種類に拘わらず電力を簡単に測定する。【解決手段】処理部は、設定部に配設された設定ボタンが操作されたときには、設定された種類が交流電路（単相３線式電路、三相３線式電路および三相４線式電路）であるチャンネルについては交流用に設定すると共に、設定された種類が単相２線式電路であるチャンネルについてはこのチャンネルに入力されている線間電圧の種別に応じて交流用または直流用に設定する種別設定処理（ステップ６５）と、種別設定処理において交流用に設定されたチャンネルについてはこのチャンネルに入力される線間電圧のゼロクロス点に同期させて電力を算出する設定とすると共に、種別設定処理において直流用に設定されたチャンネルについては所定時間毎に直流積算で電力を算出する設定とする同期積算設定処理（ステップ６６）とを実行する。【選択図】図３
2010197223.tif 000002
【特許請求の範囲】
【請求項１】
被測定電路の線電流および線間電圧を１チャンネル分ずつ入力可能に構成された１組の電流検出端子および電圧検出端子を複数チャンネル分備えると共に、当該各チャンネルから入力した前記線電流および前記線間電圧をサンプリングして電流データおよび電圧データにそれぞれ変換して出力する入力部と、
前記各チャンネルに接続される前記被測定電路の種類を当該チャンネル毎に設定する設定部と、
前記入力部から出力される前記各チャンネルの前記電流データおよび前記電圧データに基づいて当該チャンネル毎の電力を算出する電力算出処理を実行する処理部とを備えた電力計であって、
前記設定部には、設定ボタンが配設され、
前記処理部は、前記設定ボタンが操作されたときには、前記設定された種類が交流電路である前記チャンネルについては交流用に設定すると共に、前記設定された種類が単相２線式電路である前記チャンネルについては当該チャンネルに入力されている前記線間電圧の種別に応じて交流用または直流用に設定する種別設定処理と、
前記種別設定処理において交流用に設定された前記チャンネルについては当該チャンネルに入力される前記線間電圧のゼロクロス点に同期させて前記電力を算出する設定とすると共に、前記種別設定処理において直流用に設定された前記チャンネルについては所定時間毎に直流積算で前記電力を算出する設定とする同期積算設定処理とを実行する電力計。
【請求項２】
前記処理部は、前記各チャンネルの前記電流データおよび前記電圧データに基づいて当該チャンネル毎の高調波成分を算出する高調波成分算出処理を実行可能に構成されると共に、前記設定ボタンが操作されたときには、前記種別設定処理において交流用に設定された前記チャンネルについては当該チャンネルに入力される前記線間電圧のゼロクロス点に同期させて前記高調波成分を算出する設定とすると共に、前記種別設定処理において直流用に設定された前記チャンネルについては所定時間毎に前記高調波成分を算出する設定とする高調波設定処理を実行する請求項１記載の電力計。
【発明の詳細な説明】
【技術分野】
【０００１】
本発明は、電流検出プローブおよび電圧検出プローブが（それぞれ１本ずつ）接続される複数のチャンネルを有し、この電流検出プローブおよび電圧検出プローブが接続された被測定電路の電力を算出して表示する電力計に関するものである。
【背景技術】
【０００２】
この種の電力計として、本願出願人は、下記特許文献１に開示された電力計（電力測定器）を既に提案している。この電力計は、交流電圧および交流電流を測定対象としたものであって、入力部、設定部、ＣＰＵ、記憶手段としてのＲＯＭおよびＲＡＭ、並びに表示部を備えている。この場合、入力部は、電流検出プローブおよび電圧検出プローブがそれぞれ１本ずつ接続される複数のチャンネルと、各チャンネルから入力される交流電流および交流電圧をディジタル信号に変換するＡ／Ｄ変換器とを備えている。この電力計では、被測定電路の電力測定に際して、被測定電路の種類（単相２線、単相３線、三相３線または三相４線などの電力伝送の方式）が作業者によって設定部に設定される。また、測定対象の交流電圧や交流電流の値に応じて、適切な電圧範囲や電流範囲を決める測定レンジなどが選択される。
【先行技術文献】
【特許文献】
【０００３】
【特許文献１】特開２０００−２５８４８４号公報（第３頁、第１図）
【発明の概要】
【発明が解決しようとする課題】
【０００４】
ところが、上記の電力計には、以下の解決すべき課題が存在している。すなわち、被測定電路の種類が単相３線式電路、三相３線式電路および三相４線式電路のいずれかのときには、これらの電路の線電流および線間電圧は必ず交流であるため、上記の電力計で電力測定が可能である。しかしながら、被測定電路の種類が単相２線式電路のときには、この電路の線電流および線間電圧が交流のときと、直流のときとが存在する。この場合、交流と直流とでは、積算電力算出処理の内容が異なるため、上記の電力計には、被測定電路の種類が単相２線式電路のときに、積算電力値を正確に測定できないという解決すべき課題が存在している。また、この課題を解決する方法として、入力する線電流および線間電圧の種類（交流が直流か）をチャンネル毎に設定可能な構成とすることも考えられるが、この構成の電力計には、単相２線式電路に設定したチャンネルについて、線間電圧または線電流を波形観測して、交流か直流かを判別しなければならず、電力測定の手順が複雑化するという新たな課題が発生する。
【０００５】
本発明は、かかる課題を解決すべくなされたものであり、被測定電路の種類に拘わらず電力値を簡単に測定し得る電力計を提供することを主目的とする。
【課題を解決するための手段】
【０００６】
上記目的を達成すべく請求項１記載の電力計は、被測定電路の線電流および線間電圧を１チャンネル分ずつ入力可能に構成された１組の電流検出端子および電圧検出端子を複数チャンネル分備えると共に、当該各チャンネルから入力した前記線電流および前記線間電圧をサンプリングして電流データおよび電圧データにそれぞれ変換して出力する入力部と、前記各チャンネルに接続される前記被測定電路の種類を当該チャンネル毎に設定する設定部と、前記入力部から出力される前記各チャンネルの前記電流データおよび前記電圧データに基づいて当該チャンネル毎の電力を算出する電力算出処理を実行する処理部とを備えた電力計であって、前記設定部には、設定ボタンが配設され、前記処理部は、前記設定ボタンが操作されたときには、前記設定された種類が交流電路である前記チャンネルについては交流用に設定すると共に、前記設定された種類が単相２線式電路である前記チャンネルについては当該チャンネルに入力されている前記線間電圧の種別に応じて交流用または直流用に設定する種別設定処理と、前記種別設定処理において交流用に設定された前記チャンネルについては当該チャンネルに入力される前記線間電圧のゼロクロス点に同期させて前記電力を算出する設定とすると共に、前記種別設定処理において直流用に設定された前記チャンネルについては所定時間毎に直流積算で前記電力を算出する設定とする同期積算設定処理とを実行する。
【０００７】
また、請求項２記載の電力計は、請求項１記載の電力計において、前記処理部は、前記各チャンネルの前記電流データおよび前記電圧データに基づいて当該チャンネル毎の高調波成分を算出する高調波成分算出処理を実行可能に構成されると共に、前記設定ボタンが操作されたときには、前記種別設定処理において交流用に設定された前記チャンネルについては当該チャンネルに入力される前記線間電圧のゼロクロス点に同期させて前記高調波成分を算出する設定とすると共に、前記種別設定処理において直流用に設定された前記チャンネルについては所定時間毎に前記高調波成分を算出する設定とする高調波設定処理を実行する。
【発明の効果】
【０００８】
請求項１記載の電力計によれば、設定部に配設された設定ボタンを操作することにより、処理部が、各チャンネルでの電力の算出に必要な内部項目について、線間電圧の種別（交流か直流か）を自動的に判別しつつ、その設定内容を自動的に設定することができるため、電力の算出において必要となる複数の内部項目を手動で設定する構成と比較して、誤った設定を回避しつつ、極めて簡単に設定を完了させることができる。したがって、この電力計によれば、線間電圧の種別に拘わらず、つまり被測定電路の種類に拘わらず、被測定電路についての電力を短時間でしかも自動で簡単に計測することができる。
【０００９】
請求項２記載の電力計によれば、高調波成分の算出において必要となる複数の内部項目についても設定ボタンの操作によって自動的に設定されるため、誤った設定を回避しつつ、極めて簡単に高調波成分の算出において必要となる設定を完了させることができる。したがって、この電力計によれば、線間電圧の種別に拘わらず、つまり被測定電路の種類に拘わらず、被測定電路の高調波成分についても短時間でしかも自動で簡単に計測することができる。
【図面の簡単な説明】
【００１０】
【図１】電力計１の構成を示すブロック図である。
【図２】電力計１による測定処理の動作を説明するためのフローチャートである。
【図３】図２の測定処理における簡易設定処理の動作を説明するためのフローチャートである。
【図４】図２の測定処理における種別設定処理の動作を説明するためのフローチャートである。
【図５】図２の測定処理における同期積算設定処理の動作を説明するためのフローチャートである。
【図６】図２の測定処理における高調波設定処理の動作を説明するためのフローチャートである。
【発明を実施するための形態】
【００１１】
以下、添付図面を参照して、本発明に係る電力計の形態について説明する。
【００１２】
まず、電力計１の構成について、図面を参照して説明する。
【００１３】
電力計１は、図１に示すように、入力部２、処理部３、記憶部４、設定部５および表示部６を備え、被測定電路の電力を計測可能に構成されている。入力部２は、被測定電路の線電流Ｉおよび線間電圧Ｕを１チャンネル分ずつ入力可能に構成された後述する１組の電流検出端子および電圧検出端子を複数チャンネル分備えると共に、各チャンネルの電流検出端子および電圧検出端子を介して入力された交流信号をチャンネル毎に設定されたレンジに対応する倍率で増幅する増幅器と、この増幅器で増幅された交流信号を所定のサンプリング周期でサンプリングしてディジタルデータに変換して出力するＡ／Ｄ変換器（不図示）とを備えて構成されている。また、入力部２は、各チャンネルの電流検出端子に電流検出プローブが接続可能に構成されると共に、電圧検出端子に電圧検出プローブが接続可能に構成されている。この場合、電流検出プローブは、検出した線電流をその電流値に応じて振幅が変化する交流電圧に変換して出力する。このため、電流検出プローブを介して各電流検出端子に入力される信号は交流電圧となるが、この交流電圧は上記したように電流検出プローブによって検出された線電流を示すものであるため、以下では、発明の理解を容易にするため、各電流検出端子に入力される信号は線電流Ｉであるとして説明する。また、各チャンネルのレンジは、処理部３から出力されるレンジ切り換え用の制御信号Ｓ１によって個別的に設定される。
【００１４】
本例では、一例として、入力部２は、電流検出プローブが接続される２端子の電流検出端子と電圧検出プローブが接続される２端子の電圧検出端子との組を４チャンネル分備え、図１に示すように、第１チャンネルＣＨ１における電流検出端子１１および電圧検出端子１２の組から線電流Ｉ１および線間電圧Ｕ１を１チャンネル分ずつ入力し、第２チャンネルＣＨ２における電流検出端子１３および電圧検出端子１４の組から線電流Ｉ２および線間電圧Ｕ２を１チャンネル分ずつ入力し、第３チャンネルＣＨ３における電流検出端子１５および電圧検出端子１６の組から線電流Ｉ３および線間電圧Ｕ３を１チャンネル分ずつ入力し、第４チャンネルＣＨ４における電流検出端子１７および電圧検出端子１８の組から線電流Ｉ４および線間電圧Ｕ４を１チャンネル分ずつ入力可能に構成されている。また、線電流Ｉ１，Ｉ２，Ｉ３，Ｉ４については、特に区別しないときには「線電流Ｉ」ともいい、線間電圧Ｕ１，Ｕ２，Ｕ３，Ｕ４については、特に区別しないときには「線間電圧Ｕ」ともいう。
【００１５】
上記の構成により、入力部２は、各チャンネルの電流検出端子に電流検出プローブを介して入力された線電流Ｉと、各チャンネルの電圧検出端子に電圧検出プローブを介して入力された線間電圧Ｕとを、増幅器においてレンジに対応する倍率で増幅すると共に、Ａ／Ｄ変換器でディジタルデータ（線電流Ｉについては電流データＤｉ、線間電圧Ｕについては電圧データＤｕ）にそれぞれ変換して、どのチャンネルのどのディジタルデータであるかを識別可能な状態で出力する。
【００１６】
処理部３は、ＣＰＵで構成されて、記憶部４に記憶されている動作プログラムに従い、入力部２から出力される電流データＤｉおよび電圧データＤｕの記憶部４への記憶処理と、各チャンネルＣＨ１〜ＣＨ４（特に区別しないときには、「チャンネルＣＨ」ともいう）で測定する被測定電路の種類を記憶部４に記憶する記憶処理と、電力の算出および高調波成分の算出に際して設定が必要となる内部項目の内容を設定する内部項目設定処理と、入力部２から出力される電流データＤｉおよび電圧データＤｕに基づいて電力を算出する電力算出処理と、電流データＤｉおよび電圧データＤｕに基づいて高調波成分を算出する高調波成分算出処理とを実行する。記憶部４は、ＲＯＭおよびＲＡＭなどの半導体メモリで構成されて、処理部３のための動作プログラムが予め記憶されると共に、処理部３のワークメモリとして機能する。
【００１７】
設定部５は、一例として操作パネルで構成されて、各チャンネルＣＨで測定する被測定電路の種類を選択（設定）するための選択ボタンを備えている。また、設定部５は、選択ボタンによって選択された被測定電路の種類、つまり電路の結線形態（例えば、単相２線式電路、三相３線式電路および三相４線式電路など）を示す結線データＤ１を処理部３に出力する。また、設定部５には各種の設定ボタンが設けられて、設定部５は、各チャンネルで測定する信号の交流・直流の設定（各チャンネルを交流用または直流用にする設定。言い換えれば、各チャンネルで測定する被測定電路における信号種別（交流か直流か）の設定）、各チャンネルで測定する信号の測定下限周波数の設定、各チャンネルのレンジ設定、各チャンネルの電力算出のための同期の設定、各チャンネルの電力算出方法（交流積算方法か直流積算方法か）の設定、各チャンネルの整流方式の設定、および高調波成分の測定のための同期の設定その他の内部項目の設定を手動（マニュアル）で行える機能を備えている。さらに、設定部５には、処理部３に対して簡易設定処理を実行させるための設定ボタンである簡易設定ボタン５ａと、電力算出処理を開始させるための設定ボタンである算出開始ボタン（図示せず）とが設けられている。また、設定部５は、上記の各内部項目の設定内容を特定するデータと、簡易設定ボタン５ａに対する操作および算出開始ボタンに対する操作が行われたことをそれぞれ特定するデータとを含む操作データＤ２を処理部３に出力する。表示部６は、ＬＣＤ（Ｌｉｑｕｉｄ  Ｃｒｙｓｔａｌ  Ｄｉｓｐｌａｙ）などのディスプレイ装置で構成されて、処理部３の制御下で、電力や高調波成分などの算出値を表示する。
【００１８】
次に、電力計１の動作と共に操作方法について説明する。なお、入力部２の各チャンネルＣＨ１〜ＣＨ４を構成する各電流検出端子１１，１３，１５，１７には電流検出プローブ２１が予め接続され、各電圧検出端子１２，１４，１６，１８には電圧検出プローブ３１が予め接続されているものとする。
【００１９】
まず、作業者は、設定部５の選択ボタンを操作して、各チャンネルＣＨで測定する被測定電路の種類を選択（設定）する。この場合、設定部５は被測定電路の種類を示す結線データＤ１を処理部３に出力する。処理部３は、設定部５から結線データＤ１が出力されたときには、この結線データＤ１を入力して記憶部４に記憶させる記憶処理を実行する。次いで、作業者は、各チャンネルＣＨの電流検出プローブ２１および電圧検出プローブ３１を、対応する被測定電路に接続する。この状態において、電力計１では、入力部２が、各チャンネルＣＨ１〜ＣＨ４における各電流検出端子１１，１３，１５，１７から入力した線電流Ｉを電流データＤｉにそれぞれ変換して出力すると共に、各電圧検出端子１２，１４，１６，１８から入力した線間電圧Ｕを電圧データＤｕにそれぞれ変換して出力する。なお、入力部２の各チャンネルＣＨの増幅器は、一例として、作動開始時には、最大のレンジに対応する倍率（最小の倍率）で増幅動作を開始するものとする。
【００２０】
処理部３は、この結線データＤ１の記憶部４への記憶後に、電流データＤｉおよび電圧データＤｕの記憶部４への記憶処理を開始すると共に、図２に示す測定処理５０を開始する。この測定処理５０では、処理部３は、まず、内部項目設定処理を実行する（ステップ５１）。この内部項目設定処理では、処理部３は、電力算出および高調波成分算出のために必要となる上述した各内部項目の設定を実行する。具体的には、設定部５からの簡易設定ボタン５ａに対する操作を特定する操作データＤ２の入力の有無を検出して、簡易設定ボタン５ａに対する操作を特定する操作データＤ２の入力を検出したときには、図３に示す簡易設定処理６０を実行して、内部項目を設定する。一方、手動（マニュアル）によって設定された内部項目についてのデータ含む操作データＤ２の入力を検出したときには、このデータで特定される設定内容に従って各内部項目を設定する。
【００２１】
この簡易設定処理６０について、図３〜図６を参照して詳細に説明すると、この簡易設定処理６０では、処理部３は、まず、図３に示すように、測定下限周波数をこの電力計１の入力定格周波数範囲の最小値に設定する（ステップ６１）。この電力計１は、商用周波数（５０Ｈｚまたは６０Ｈｚ）の線電流Ｉおよび線間電圧Ｕだけでなく、商用周波数を含む入力定格周波数範囲（例えば、１０Ｈｚ〜５ｋＨｚ）内の周波数の線電流Ｉおよび線間電圧Ｕについての電力および高調波成分を計測可能となっている。このため、簡易設定処理６０では、測定を許容する線電流Ｉおよび線間電圧Ｕの周波数が最も広くなるように、この電力計１の入力定格周波数範囲の最小値（０．５Ｈｚ）を測定下限周波数として設定する。
【００２２】
次いで、処理部３は、入力部２における各チャンネルＣＨの増幅器についてのゲインに対する制御を、電流データＤｉおよび電圧データＤｕの値を判別しつつ、入力部２に対して制御信号Ｓ１を出力して自動的に実行するオートレンジ制御に設定する（ステップ６２）。この制御をマニュアル設定としたときには、チャンネルＣＨ毎に、複数のレンジ（線電流Ｉの場合には複数の電流レンジ、線間電圧Ｕの場合には複数の電圧レンジ）のうちから任意のレンジを選択して固定的に設定することが可能である。しかしながら、線電流Ｉおよび線間電圧Ｕのレベルが未値のため、どのようなレベルの線電流Ｉおよび線間電圧Ｕについても、過不足のないレンジで測定し得るように、簡易設定ではオートレンジ制御に設定する。続いて、処理部３は、各チャンネルＣＨについての電力の算出に際して必要となる同期を抽出する元となる信号（以下、「元信号」ともいう）を、線間電圧Ｕに設定する（ステップ６３）。マニュアル設定によれば、チャンネルＣＨ毎に、線電流Ｉまたは線間電圧Ｕを元信号として設定可能であるが、線間電圧Ｕを同期の元信号とするのが一般的であるため、簡易設定ではこの線間電圧Ｕを元信号に設定する。また、処理部３は、各チャンネルＣＨでの線電流Ｉおよび線間電圧Ｕに対する整流方式をＲＭＳに設定する（ステップ６４）。マニュアル設定によれば、チャンネルＣＨ毎に、ＲＭＳ（Ｒｏｏｔ  Ｍｅａｎ  Ｓｑｕａｒｅ：真の実効値）整流とＭｅａｎ（平均値）整流のいずれかの整流方式に設定し得るが、ＲＭＳとするのが一般的であるため、簡易設定ではＲＭＳに設定する。
【００２３】
次いで、処理部３は、接続された被測定電路についての信号の種別をチャンネルＣＨ毎に設定する種別設定処理６５を実行する（ステップ６５）。この種別設定処理６５では、図４に示すように、処理部３は、まず、チャンネルＣＨが単相２線式電路に接続されるように設定されているか否かを判別し（ステップ７１）、単相２線式電路には設定されていないとき、つまり、単相３線式電路、三相３線式電路および三相４線式電路のいずれかに設定されているときには、このチャンネルＣＨに入力される線電流Ｉおよび線間電圧Ｕは常に交流であるため、このチャンネルＣＨを交流用に設定すると共に、その旨を記憶部４に記憶させる（ステップ７２）。
【００２４】
一方、ステップ７１において、このチャンネルＣＨが単相２線式電路に設定されていると判別したときには、処理部３は、記憶部４に記憶されているこのチャンネルＣＨで測定された線間電圧Ｕの電圧データＤｕを読み出して、線間電圧Ｕの直流成分の平均値、交流成分の平均値（具体的には、交流成分についての上記した整流後の実効値の平均値）、最大値、および最小値を算出する（ステップ７３）。次いで、処理部３は、算出した直流成分および交流成分の各平均値同士を比較する（ステップ７４）。なお、図４では、直流成分の平均値は単に「直流成分」と表記し、交流成分の平均値は単に「交流成分」と表記する。処理部３は、この比較の結果、交流成分の平均値が直流成分の平均値を上回るときには、このチャンネルＣＨに入力される線電流Ｉおよび線間電圧Ｕの種別が交流であると判別して、このチャンネルＣＨを交流用に設定すると共に、その旨を記憶部４に記憶させる（ステップ７５）。
【００２５】
一方、ステップ７４において、交流成分の平均値が直流成分の平均値以下のときには、処理部３は、最小値がゼロ未満であり、かつ最大値がゼロを超えるという条件を満たすか否かを判別する（ステップ７６）。この判別の結果、この条件を満たすときには、このチャンネルＣＨに入力される線電流Ｉおよび線間電圧Ｕの種別は交流であると判別して、このチャンネルＣＨを交流用に設定すると共に、その旨を記憶部４に記憶させる（ステップ７７）。他方、判別の結果、この条件を満たさないときには、処理部３は、このチャンネルＣＨに入力される線電流Ｉおよび線間電圧Ｕの種別は直流であると判別して、このチャンネルＣＨを直流用に設定すると共に、その旨を記憶部４に記憶させる（ステップ７８）。処理部３は、各チャンネルＣＨについて上記の種別設定処理６５を実行して、交流用または直流用の設定を実行する。これにより、種別設定処理６５が完了する。
【００２６】
続いて、処理部３は、図３に示すように、同期積算設定処理６６を実行する（ステップ６６）。この同期積算設定処理６６では、図５に示すように、処理部３は、まず、チャンネルＣＨが交流用に設定されているか否かを判別し（ステップ８１）、交流用に設定されているときには、電力、積算電流、および積算電力を算出するための電流の実効値および電圧の実効値の算出に際して、ステップ６３において同期の元信号として設定した線間電圧Ｕのゼロクロス点で同期を取るように設定し（ステップ８２）、次いで、電力、積算電流、および積算電力の積算方法を交流積算に設定する（ステップ８３）。一方、ステップ８１において、チャンネルＣＨが直流用に設定されているときには、予め規定された一定時間で同期を取るように設定し（ステップ８４）、次いで、電力、積算電流、および積算電力の積算方法を直流積算に設定する（ステップ８５）。処理部３は、各チャンネルＣＨについて上記の同期積算設定処理６６を実行して、同期の設定、並びに電力、積算電流、および積算電力の算出方法の設定を実行する。これにより、同期積算設定処理６６が完了する。
【００２７】
続いて、処理部３は、図３に示すように、高調波設定処理６７を実行する（ステップ６７）。この高調波設定処理６７では、図６に示すように、処理部３は、高調波成分の算出に際して、チャンネルＣＨに交流用に設定されたものが存在するか否かを検出して（ステップ９１）、存在するときには、この交流用に設定されたチャンネルＣＨの線間電圧Ｕについてのゼロクロス点で同期を取るように設定する（ステップ９２）。なお、交流用に設定されたチャンネルＣＨが複数存在するときには、例えば、最も番号の若いチャンネルＣＨの線間電圧Ｕについてのゼロクロス点で同期を取るように設定する。一方、ステップ９１において、他のチャンネルＣＨに交流用に設定されたチャンネルＣＨが存在しないとき、つまり、すべてのチャンネルＣＨが直流用に設定されたチャンネルＣＨであるときには、予め規定された一定時間で同期を取るように設定する（ステップ９３）。処理部３は、各チャンネルＣＨについて上記の高調波設定処理６７を実行して、高調波成分の算出の際における同期の設定を実行する。これにより、高調波設定処理６７が完了する。
【００２８】
以上のようにして、内部項目についての設定が完了した後、処理部３は、図２に示すように、設定部５から入力した操作データＤ２に算出開始ボタンの操作を特定するデータが含まれているか否かを繰り返しチェックして（ステップ５２）、そのデータが含まれていたときには、電力算出処理（ステップ５３）と、高調波成分算出処理（ステップ５４）とを実行する。この電力算出処理では、処理部３は、ステップ５１において手動設定、または簡易設定処理によって設定された各内部項目の設定内容に従い、チャンネルＣＨ毎に、電力を算出する。また、この高調波成分算出処理では、処理部３は、ステップ５１において手動設定、または簡易設定処理によって設定された各内部項目の設定内容に従い、チャンネルＣＨ毎に、高調波成分を算出する。
【００２９】
具体的には、処理部３は、同期積算設定処理６６により、交流用に設定されている各チャンネルＣＨについては、記憶部４に記憶されている電圧データＤｕに基づいて線間電圧Ｕのゼロクロス点を検出しつつ、このゼロクロス点で同期を取りながら、つまり、ゼロクロス点の一周期単位で電圧データＤｕおよび電流データＤｉを算出する。次いで、算出した電圧データＤｕおよび電流データＤｉに対してＲＭＳ整流方式を適用しつつ、電力、積算電流、および積算電力を算出する。一方、処理部３は、同期積算設定処理６６により、直流用に設定されている各チャンネルＣＨについては、一定時間で同期を取りながら電圧データＤｕおよび電流データＤｉを算出する。次いで、算出した電圧データＤｕおよび電流データＤｉに対してＲＭＳ整流方式を適用しつつ、電力、積算電流、および積算電力を算出する。また、処理部３は、高調波成分についても、任意のチャンネルの線間電圧Ｕのゼロクロスに同期が設定されている場合は、このゼロクロス点の一周期単位で電圧データＤｕおよび電流データＤｉを算出し、次いで、算出した電圧データＤｕおよび電流データＤｉを基にして高調波成分を算出する。一方、一定時間で同期を取る設定がされている場合は、この時間単位で電圧データＤｕおよび電流データＤｉを算出し、次いで、算出した電圧データＤｕおよび電流データＤｉを基にして高調波成分を算出する。また、処理部３は、このようにして算出した各チャンネルＣＨの電力および高調波成分を表示部６に表示させる。
【００３０】
このように、この電力計１によれば、設定部５に配設された簡易設定ボタン５ａを操作することにより、処理部３が、各チャンネルの電力および高調波成分の算出に必要な内部項目について、線間電圧の種別（交流か直流か）を自動的に判別しつつ、その設定内容を自動的に設定することができるため、電力および高調波成分の算出において必要となる複数の内部項目を手動で設定する構成と比較して、誤った設定を回避しつつ、極めて簡単に設定を完了させることができる。したがって、この電力計１によれば、線間電圧の種別に拘わらず、つまり被測定電路の種類に拘わらず、被測定電路についての電力と高調波成分とを短時間でしかも自動で簡単に計測することができる。
【００３１】
なお、本発明は、上記の構成に限定されない。例えば、電力の算出と共に、高調波成分の算出も実行する構成について上記したが、電力の算出のみを実行する構成を採用することもでき、この構成では、上記した高調波成分に関する構成を省くことができる。
【符号の説明】
【００３２】
１  電力計
２  入力部
３  処理部
５  設定部
５ａ  簡易設定ボタン
６６  同期積算設定処理
ＣＨ１〜ＣＨ４  チャンネル
Ｄｉ  電流データ
Ｄｕ  電圧データ
Ｉ  線電流
Ｕ  線間電圧
【図１】
2010197223.tif 000003
【図２】
2010197223.tif 000004
【図３】
2010197223.tif 000005
【図４】
2010197223.tif 000006
【図５】
2010197223.tif 000007
【図６】
2010197223.tif 000008